(57)【要約】【課　題】口紅やファンデーションがコップ等の食器やシャツ等の衣類に付着しない樹脂成型品を提供する。【解決手段】樹脂成型品表面に球面状で先端径が２００μｍ以下である凸部を有する樹脂成型品を作成し、メーキャップ化粧料の付着を防止する。【特許請求の範囲】
【請求項１】
表面に、球面状で先端径が２００μｍ以下である凸部を有する樹脂素材。
【請求項２】
凸部が単位面積あたり３０００個〜３００００個／ｃｍ２設けられた請求項１記載の樹脂素材。
【請求項３】
請求項２記載の樹脂素材からなるメーキャップ化粧料付着防止シール。
【請求項４】
請求項２記載の樹脂素材からなるメーキャップ化粧料付着防止食器。
【請求項５】
請求項２記載の樹脂素材からなるメーキャップ化粧料付着防止たばこフィルター。
【請求項６】
請求項２記載の樹脂素材からなるメーキャップ化粧料付着防止布地。
【発明の詳細な説明】
【０００１】
【発明の属する技術分野】本発明は、口紅やファンデーション等のメーキャップ化粧料が接触する物、例えば食器やたばこフィルター、及びシャツ等の衣類の素材に関するものである。
【０００２】
【従来の技術】現在、口紅やファンデーション等のメーキャップ化粧料は、ファッション性に加え、外界刺激から身体を保護する要素も附加され、生活の一部となり切り離せないものとなっている。そして、メーキャップ化粧料を塗布したまま日中を過ごし、食事やショッピング等の日常生活が行なわれている。この様な状態において、食事や飲料を飲む場合や喫煙する場合に塗布した口紅がグラス等の食器やタバコのフィルターに付着して、せっかく塗布した口紅がとれて化粧直しが必要になることがある。又、衣類を購入する際の試着や通勤ラッシュ等において、塗布していた口紅やファンデーションが衣類と接触することで、接触した衣類に付着し、プァンデーションがとれることは勿論のこと、ファンデーションが付着したことで商品価値を損ねることや他の人に迷惑をかける等のトラブルが発生している。
【０００３】上記のようなトラブルを防ぐ意味合いから、従来より化粧料では、コップ等の食器に色移りし難い口紅や、シャツ等の衣類に色移りし難いファンデーション等のメーキャップ化粧料の研究がなされてきたが、満足する化粧料の開発には至っていない。
【０００４】一方メーキャップ化粧料を使用する立場の使用者も、口紅やファンデーションを塗布したままで食事や衣類等のショッピングを行なう場合は、コップやたばこフィルターとの接触面積が最小となるように留意したり、シャツ等の布地との接触が多くなる首もと等へのファンデーション塗布を避けることや、小売店においては試着する際にファンデーション付着防止カバー等を用意して対応している等の不具合を回避するための無用の神経や用具を準備する必要が生じている。
【０００５】
【発明が解決しようとする課題】本発明は、口紅やファンデーション等のメーキャップ化粧料が付着しにくい素材を開発し、上記の不測の不具合を回避すること。又、回避するたの無用の神経や用具の準備を不要にするための素材を提供しようとするものである。
【０００６】
【課題を解決するための手段】本発明者は、上記の課題を解決するために鋭意検討を重ねた結果、シール又はコップ等の食器又はたばこフィルター又はシャツ等の衣類の布地の表面を微細な球面上に加工することにより、口紅等のメーキャップ化粧料の付着が防止できることを見出し、本発明を完成するに至った。即ち、メーキャップ化粧料と接触するシール又はコップ等の食器又はたばこフィルター又はシャツ等の衣類の布地である樹脂成型品の表面部分に、３０００個〜３００００個／ｃｍ２の球面状の凸部を設けることにより、メーキャップ化粧料の付着防止を可能とした樹脂成型品を提供する。
【０００７】
【発明の実施の形態】以下に、本発明について詳述する。まず、本発明の樹脂成型品の表面に用いる球面状の凸部について説明する。この「球面状」とは、幾何学的に言う球面に限定されず、なだらかな凸曲面であって、中心軸を含む各方向の縦断面形状が極端に異ならない形状であれば良い。
【０００８】又、球面状凸部の先端径は、２００μｍ以下であることが好ましく、更に好ましくは１５０μｍ以下である。そして、球面状凸部の先端径が２００μｍを超えてしまうと接触する唇や肌自体に違和感が発生するとともにメーキャップ化粧料が付着する。
【０００９】樹脂成型品の表面に必要とする凸部の数量については特に限定されないが、１，０００〜１００，０００個／ｃｍ２が好ましく、更に好ましくは、３，０００〜３０，０００個／ｃｍ２である。
【００１０】本発明に用いることができる樹脂は、上記条件にて成型可能であれば特に限定されないが、ポリエチレン（ＰＥ）樹脂、ポリプロピレン（ＰＰ）樹脂、ＰＥＴ樹脂、ポリ塩化ビニル樹脂、ＡＢＳ樹脂、ＡＳ樹脂等が好ましい。
【００１１】本発明に用いることができる樹脂成型用金型を含めた成型設備は、上記条件にて樹脂成型が可能な設備であれば特に限定されない。
【００１２】本発明に用いることができることができるシールとは、粘着テープ状に加工して陶器や金属製のコップの唇接触部分に付着させることを可能にした樹脂成型品、又は衣類の襟元に何らかの方法で密着させることができる様にシート状に加工した樹脂成型品のことを指す。その大きさや厚み等については密着させる被密着物の大きさに合わせて任意に設定ができる。又、本発明に用いることができる食器とは、グラス、コップ、茶碗、箸、スプーン、フォーク、及びストロー等を指す。そして、本発明に用いることができる布地とは、衣類等に使用可能な布地であれば特に限定はなく、例えばワイシャツ等に用いられる布地である。
【００１３】上記の如く樹脂成型品の表面に微細な球面状の凸部を多数設けることにより、口紅やファンデーション等のメーキャップ化粧料がコップ等の食器、たばこフィルター、シャツ等の衣類の布地に接する面積を最小限に抑えることができる。これによりメーキャップ化粧料の対象物への付着力が弱くなる等の作用が働き、メーキャップ化粧料の付着防止が可能となる。
【００１４】次に、本発明について実施例を基に更に詳しく説明するが、本発明はこれに限定されない。
【００１５】
【実施例１】
射出成型機は、Ｓｔｏｋｅｓ社製ＩＮＪＥＣＴＯＳＥＴを用い、金型は成型後の表面凸部の先端径が約１００μｍになるように、そして、凸部の数量が３０，０００個／ｃｍ２になるように加工したものを用いた。樹脂材質は、ＰＰ樹脂（ポリプロピレン樹脂）の低密度（０．９ｇ／ｃｍ３）を用いた。又、成型条件は、金型温度：３０℃〜３５℃，射出圧力：１００〜１４０ＭＰａ，樹脂温度：２００℃〜２２０℃にて行い、内容積２００ｍｌのコップを作成した。
【００１６】
次に、本発明の効果について、健常女性に口紅を塗布後にコップに注いだお茶を飲んでもらい、コップに付着した口紅の量を確認した。尚、具体的方法について下記に詳述する。
【００１７】
〔確認方法〕
２０才代〜５０才代の健常女性２０名をパネラーとして、表１の処方にて作成した口紅を各パネラーが通常に使用する方法にて唇に塗布してもらった後、５分後に実施例１で作成したコップに注いだ水を飲む動作を行なってもらい、その動作後にコップに付着した口紅の量について確認を行なった。次に、同パネラーに上記方法にて口紅を塗布してもらった後、市販のＰＰ樹脂製のコップに注いだ水を飲む動作を行なってもらい、その動作後にコップに付着した口紅の量について確認を行なった。そして、実施例１で作成したコップに付着した口紅の量と市販のＰＰ樹脂製のコップに付着した口紅の量を比較した。
【００１８】
【表１】
2004097592.tif 000002
【００１９】
〔確認結果〕
表２の評価基準にてコップに付着した付着量を評価し、その結果を表３に示す。尚、表３の結果はコップの数で表した。
【００２０】
【表２】
2004097592.tif 000003
【００２１】
【表３】
2004097592.tif 000004
【００２２】
表３より、実施例１で作成したコップに付着する口紅の量は、市販のコップに比べ明らかに少ない。このことは、本発明によるコップは、口紅が付着し難いことを示唆している。
【００２３】
【発明の効果】
本発明の素材を利用したシール、コップやストロー等食器、たばこフィルター又はシャツ等の衣類の布地は、口紅やファンデーション等のメーキャップ化粧料と接触する表面に３０００個〜３００００個／ｃｍ２の球面状の凸部を設けたため、メーキャップ化粧料が付着し難いく、化粧直しの必要性が少なく、コップやたばこフィルター、シャツ等の布地が汚れてしまい、外観上の不快感を感じる等の不具合が解消される。又、球面状凸部の先端径を２００μｍ以下としたため、接触する唇や首もとに痛み等の違和感を感じることなく使用することが出来る。